(57)【要約】【課題】  使用者の首筋および肩の負担を無くし、快適な睡眠を可能にする枕を提供する。【解決手段】  頭部載置面Ｓ２の最高位置にある端辺Ｔ３に使用者の首筋が当たる。使用者が横向きに寝た場合、頭部載置面Ｓ２に対して鋭角で規定された肩挿入空間形成面Ｓ３と床面との間に形成される空間内に使用者の肩が挿入される。  【選択図】  図１
0003103583.tif 000002
【実用新案登録請求の範囲】
【請求項１】
使用者が仰向けに寝た状態で前記使用者の後頭部が当たる第１の面と、使用時に床面に面接する第２の面と、前記第１の面の最高位置あるいは前記第１の面より高い位置にあり前記使用者が仰向けに寝た状態で前記使用者の首筋が当たる首筋当接部とを有する枕であって、
前記使用者が前記首筋を前記首筋当接部に当てながら横向きに寝た状態で当該使用者の肩を挿入可能な空間を形成する肩挿入部と
を有する枕。
【請求項２】
前記首筋当接部は、前記第１の面の端辺であり、
前記肩挿入部は、前記第１の面との間に鋭角の内角を持ち、前記端辺から前記第２の面の端辺に向けて傾斜した面であり、前記第２の面が前記床面に面接した状態で前記床面との間に前記空間を形成する
請求項１に記載の枕。
【請求項３】
前記肩挿入部に人体治癒効果を持つ放射線発生部材、電磁波発生部材および磁力発生部材のうち少なくとも一方が形成されている
請求項１または請求項２に記載の枕。
【請求項４】
第１の端辺と当該第１の端辺に対して平行した第２の端辺とを有する第１の面と、
前記第１の面の前記第１の端辺を一辺とし当該第１の面に対して鋭角を形成し、前記第１の端辺と平行した第３の端辺を持つ第２の面と、
前記第２の面に対して鋭角を形成し、前記第３の端辺と前記第２の端辺とを持つ第３の面と
を有する枕。
【考案の詳細な説明】
【技術分野】
【０００１】
本考案は、使用者が睡眠時に横向き状態で使用した場合に効果を発揮する枕に関する。
【背景技術】
【０００２】
快適な睡眠を得るために、種々の枕が開発されている。
最近、例えば、図５に示すように、使用者の首が置かれる端部５２の高さを、頭が置かれる面５３より高くすることで、首にかかる負担を軽減する枕が販売されている。
図５に示す枕は、使用者が仰向けの状態で使用する場合には、使用者の首の負担を軽減し、快適な睡眠を提供できる。
【考案の開示】
【考案が解決しようとする課題】
【０００３】
しかしながら、上述した図５に示す従来の枕は、使用者が横向きの状態で使用すると、使用者の肩が側面５０に当たり、使用者の首筋を端部５２に置くことができず、却って首筋の負担が大きくなってしまうという問題がある。
また、上述した図５に示す従来の枕は、使用者が横向きの状態で使用すると、使用者の肩が側面５０に押しつけられ、肩に負担がかかるという問題がある。
【０００４】
本考案は、上述した従来技術に鑑みてなされ、使用者の首筋および肩の負担を無くし、快適な睡眠を可能にする枕を提供することを目的とする。
【課題を解決するための手段】
【０００５】
上述した従来技術の問題を解決し、上述した目的を達成するために、第１の考案の枕は、使用者が仰向けに寝た状態で前記使用者の後頭部が当たる第１の面と、使用時に床面に面接する第２の面と、前記第１の面の最高位置あるいは前記第１の面より高い位置にあり前記使用者が仰向けに寝た状態で前記使用者の首筋が当たる首筋当接部とを有する枕であって、前記使用者が前記首筋を前記首筋当接部に当てながら横向きに寝た状態で当該使用者の肩を挿入可能な空間を形成する肩挿入部とを有する。
【０００６】
第１の考案では、使用者が首筋を首筋当接部に当てた状態で横向きに寝ると、肩挿入部が形成する空間に使用者の肩が挿入される。従って、枕の側面に肩が当たることがなく、しかも首筋を首筋当接部に適切に置くことが可能になる。そのため、使用者の肩および首を痛めずに快適な睡眠を提供できる。
【０００７】
また、第１の考案の枕は、好ましくは、前記首筋当接部は、前記第１の面の端辺であり、前記肩挿入部は、前記第１の面との間に鋭角の内角を持ち、前記端辺から前記第２の面の端辺に向けて傾斜した面であり、前記第２の面が前記床面に面接した状態で前記床面との間に前記空間を形成する。
また、第１の考案の枕は、好ましくは、前記肩挿入部に人体治癒効果を持つ放射線発生部材、電磁波発生部材および磁力発生部材のうち少なくとも一方が形成されている。
【０００８】
第２の考案の枕は、第１の端辺と当該第１の端辺に対して平行した第２の端辺とを有する第１の面と、前記第１の面の前記第１の端辺を一辺とし当該第１の面に対して鋭角を形成し、前記第１の端辺と平行した第３の端辺を持つ第２の面と、前記第２の面に対して鋭角を形成し、前記第３の端辺と前記第２の端辺とを持つ第３の面とを有する。
【考案の効果】
【０００９】
以上説明したように、本考案によれば、使用者の首筋および肩の負担を無くし、快適な睡眠を可能にする枕を提供することができる。
【考案を実施するための最良の形態】
【００１０】
以下、本考案の実施形態に係わる枕について説明する。
第１実施形態
図１は本考案の実施形態に係わる枕１の外観斜視図、図２は図１に示す枕１の側面図である。
本実施形態では、図１中に示すように、Ｘ,Ｙ,Ｚ座標系を規定する。
図１に示すように、枕１は、５つの面、すなわち、床載置面Ｓ１，頭部載置面Ｓ２，肩挿入空間形成面Ｓ３，側面Ｓ４および側面Ｓ５で構成される。
枕１は、その使用時に、Ｘ，Ｙ平面上にある床載置面Ｓ１が床面に置かれ、使用者の頭部が頭部載置面Ｓ２に置かれる。
当該実施形態において、床載置面Ｓ１が第１の考案の第２の面および第２の考案の第１の面に対応し、頭部載置面Ｓ２が第１の考案の第１の面および第２の考案の第２の面に対応し、肩挿入空間形成面Ｓ３が第２の考案の第３の面に対応している。
また、端辺Ｔ１が第２の考案の第１の端辺に対応し、端辺Ｔ２が第２の考案の第２の端辺に対応し、端辺Ｔ３が第２の考案の第３の端辺に対応している。
また、端辺Ｔ３が、第１の考案の首筋当接部に対応している。
【００１１】
床載置面Ｓ１,頭部載置面Ｓ２および肩挿入空間形成面Ｓ３の各々は例えば矩形であり、側面Ｓ４，Ｓ５は例えば略三角形である。
床載置面Ｓ１と頭部載置面Ｓ２とはＹ方向に延びる端辺Ｔ１で接合している。床載置面Ｓ１と頭部載置面Ｓ２との間の内角θａは鋭角であり、例えば、２０〜５０度である。
頭部載置面Ｓ２は、端辺Ｔ１と対向しＹ方向に延びる端辺Ｔ３を有する。
端辺Ｔ３は、本考案の首筋当接部に対応し、床載置面Ｓ１に対して頭部載置面Ｓ２の最高位置にある。
頭部載置面Ｓ２と肩挿入空間形成面Ｓ３とは端辺Ｔ３で接合している。頭部載置面Ｓ２と肩挿入空間形成面Ｓ３との間の内角は鋭角である。
また、床載置面Ｓ１は、端辺Ｔ１と、当該端辺Ｔ１に対向しＹ方向に延びる端辺Ｔ２とを有する。
床載置面Ｓ１と肩挿入空間形成面Ｓ３とは端辺Ｔ２で接合している。床載置面Ｓ１と肩挿入空間形成面Ｓ３との間の内角θｂは鈍角であり、例えば、１００〜１３０度である。
本実施形態において、端辺Ｔ１，Ｔ２，Ｔ３は、例えば、丸みを持って形成されている。
【００１２】
本実施形態では、上述したように枕１を構成したことで、枕１の床載置面Ｓ１が床面に面接して置かれた状態で、頭部載置面Ｓ２は端辺Ｔ１から端辺Ｔ３に向かうに従って床面からの高さが高くなる。すなわち、端辺Ｔ３が、頭部載置面Ｓ１の最高位置となる。
また、床面と肩挿入空間形成面Ｓ３との間に肩挿入空間１０（本考案の使用者の肩を挿入可能な空間）が形成される。
【００１３】
このように、枕１は、床載置面Ｓ１と肩挿入空間形成面Ｓ３との間の内角θｂが、従来のように直角ではなく、鈍角である。そのため、図３に示すように、横向きに寝た使用者の首筋２２が端辺Ｔ３に当てられた状態で頭２０が頭部載置面Ｓ２に置かれると、使用者の肩１０の全体あるいは一部が床面と肩挿入空間形成面Ｓ３との間の肩挿入空間１０に位置する。
これにより、図５に示す従来の枕のように使用者が横向きに寝た状態でも使用者の肩１０が側面５０に当たることを回避でき、使用者の肩２１を痛めることを回避できると共に、使用者の首筋２２を端辺Ｔ３に載置できるようになり快適な睡眠を提供できる。
【００１４】
図２に示すように、枕１の面Ｓ１のＸ方向の幅Ｌ１は例えば３０〜４０ｃｍであり、幅Ｌ２は５〜２５ｃｍである。
枕１の高さＨは、例えば、１０〜２０ｃｍである。
なお、枕１の内部には、例えば、伸長回復性に優れたポリウレタン繊維が充填されている。
【００１５】
以上説明したように、枕１によれば、使用者が横向きに寝た状態でも、当該使用者の肩１０を痛めることなく、しかも首筋２２を端辺Ｔ３上に載置でき、快適な睡眠を提供することができる。
【００１６】
第２実施形態
本実施形態の枕は、図１に示す肩挿入空間形成面Ｓ３に、人体治癒効果を持つ放射線発生部材あるいは電磁波発生部材などの人体治癒部材を形成することを除いて、第１実施形態で説明した枕１と同じである。
図４は、本実施形態の枕１ａの側面図である。
図４に示すように、枕１ａは、肩挿入空間形成面Ｓ３に人体治癒部材３０が形成されている。
【００１７】
人体治癒部材３０としては、例えば、人体に対する照射することを法律や規格等で許可された範囲内の微量な放射線や電磁波を発生するものや、磁力を発生するものが用いられる。
人体治癒部材３０は、例えば、１つのマグマから成分の異なる火成岩を生成するマグマ分化によって生じた粗粒であるマグマタイト（多元素共存鉱物）を粉末にしたものが用いられる。このようマグマタイトには、例えば、２０種類以上の元素が含まれており、これらが単独の働きではなく相互に関与しあい極微量の放射線を出す。
このようなマグマタイトの一例として、微生物的環境技術研究所の平井孝志理学博士により発見され、株式会社ケン・ホーリー研究所および株式会社エスピー三晃により販売されているメディカルストーン（商標）が用いられる。
【００１８】
本実施形態の枕１ａによれば、肩挿入空間形成面Ｓ３に人体治癒部材３０を形成することで、第１実施形態のように、使用者が横向きになり、使用者の肩２１が肩挿入空間形成面Ｓ３に接触することで、人体治癒部材３０から発生する放射線、電磁波あるいは磁力により、使用者の肩２１の血行をよくすることができ、肩こりなどの治療ができる。
【００１９】
本考案は上述した実施形態には限定されない。
上述した実施形態では、使用者の首筋２２が置かれる本考案の首筋当接部としての端辺Ｔ３を、床載置面Ｓ１に対して頭部載置面Ｓ２の最高位置に設けた場合を例示したが、頭部載置面Ｓ２とは別に、頭部載置面Ｓ２より高い位置に首筋当接部を設けてもよい。
【産業上の利用可能性】
【００２０】
本考案は、寝具としての枕に適用可能である。
【図面の簡単な説明】
【００２１】
【図１】図１は、本考案の第１実施形態に係わる枕の外観斜視図である。
【図２】図２は、図１に示す枕の側面図である。
【図３】図３は、本考案の第１実施形態に係わる枕を使用者が横向きに寝ながら使用した状態を説明するための斜視図である。
【図４】図４は、本考案の第２実施形態に係わる枕の側面図である。
【図５】図５は、従来の枕を説明するための図である。
【符号の説明】
【００２２】
Ｓ１…床載置面、Ｓ２…頭部載置面、Ｓ３…肩挿入空間形成面、Ｓ４、Ｓ５…側面、Ｔ１，Ｔ２，Ｔ３…端面、３０…人体治癒部材
【図１】
0003103583.tif 000003
【図２】
0003103583.tif 000004
【図３】
0003103583.tif 000005
【図４】
0003103583.tif 000006
【図５】
0003103583.tif 000007